(57)【要約】【課題】ＦＥＤや有機ＥＬ素子を用いた画像表示装置において、発光均一性が高く、高画質の画像表示を可能とする。【解決手段】電流により輝度が定まる線順次駆動を行うマトリクス構造の表示素子ＦＥを用いて、制御電極ラインＧＬを順次駆動する一選択期間の終了直前での陰極ラインＫＬの閾電圧を閾電圧測定部ＶＭで測定し、測定された閾電圧を画素毎に記録し、記録された閾電圧の値を用いて、同画素選択時の駆動信号を補正することにより、陰極Ｋから放出される電荷を制御する。【選択図】図１(a)
2007121430.tif 000002
【特許請求の範囲】
【請求項１】
第１電極ラインと第２電極ラインとの交差部に配置された画素と、前記第１電極ラインに輝度信号に応じた電圧を印加する第１電極駆動部と、前記第２電極ラインに選択電圧を印加する第２電極駆動部と、前記選択電圧による選択期間内で輝度信号に応じた電圧を一時的に保持する浮遊容量とを有する平板型画像表示装置において、
前記第１電極駆動部が第１電極ラインを開放した状態で選択期間終了直前における第１電極ラインの電圧を測定する電圧測定部と、測定された電圧の値を記録する記録テーブルと、記録された電圧の値を基に第１電極ラインに印加する輝度信号に応じた電圧を補正する電圧補正部とを備えたことを特徴とする平板型画像表示装置。
【請求項２】
前記記録テーブルに記録されている電圧の値と新規に測定された電圧の値とを用いて演算処理を行い、その演算結果を新たな電圧の値として記録テーブルに記録させる演算処理部を備えることを特徴とする請求項１に記載の平板型画像表示装置。
【請求項３】
前記第２電極駆動部は第２電極ラインに非選択電圧を印加し、前記第１電極駆動部は第１電極ラインに輝度信号に応じた電圧を印加して浮遊容量を充電した後に、第１電極ラインを開放し、第２電極駆動部は選択された第２電極ラインに選択電圧を印加することを特徴とする請求項１又は２に記載の平板型画像表示装置。
【請求項４】
前記第１電極ラインに外部容量を付加させることを特徴とする請求項１から３のいずれかに記載の平板型画像表示装置。
【請求項５】
前記第１電極ラインに接続された第１電極と、前記第２電極ラインに接続された第２電極とを備え、第１電極から放出された電子が、大気圧よりも低く減圧された空間を介して蛍光面パネルに入射し、蛍光面が発光することにより画像を表示することを特徴とする請求項１から４のいずれかに記載の平板型画像表示装置。
【請求項６】
前記第１電極から電子放出が生じる状態における、第１電極電圧をＶｋ、第２電極電圧をＶｇ及び蛍光面電圧をＶｐとし、蛍光面と第１電極との間の距離をｄｐｋ、蛍光面と第２電極との間の距離をｄｐｇとしたとき、ｄｐｋ＞ｄｐｇであって、Ｖｇ＜（Ｖｐ−Ｖｋ）／ｄｐｋ×（ｄｐｋ−ｄｐｇ）＋Ｖｋである表示素子を用いたことを特徴とする請求項５に記載の平板型画像表示装置。
【請求項７】
前記第１電極から電子放出が生じる状態における、第１電極電圧をＶｋ、第２電極電圧をＶｇ及び蛍光面電圧をＶａとし、蛍光面と第１電極との間の距離をｄｐｋ、蛍光面と第２電極との間の距離をｄｐｇとしたとき、ｄｐｋ−ｄｐｇの絶対値が、第１電極の膜厚と第２電極の膜厚のうち厚い方の膜厚以下であって、Ｖｇ≦Ｖｋである表示素子を用いたことを特徴とする請求項５に記載の平板型画像表示装置。
【請求項８】
前記第１電極の表面に、繊維状炭素材料を含む表示素子を備えたことを特徴とする請求項５から７のいずれかに記載の平板型画像表示装置。
【請求項９】
前記第１電極と第２電極との間に有機発光層を有する発光素子を用いたことを特徴とする請求項１から４のいずれかに記載の平板型画像表示装置。
【発明の詳細な説明】
【技術分野】
【０００１】
本発明は、主に電流により輝度が変化する発光素子を用い、発光部に断続的に流入する電荷量を制御することにより、発光輝度を調節する平板型画像表示装置に係り、特に、電子源である陰極からの電子放出が生じて発光を開始する閾値である電子放出開始電圧の差異による輝度ばらつきを抑制することを可能にした平板型画像表示装置に関する。
【背景技術】
【０００２】
所定の時間内に電子放出源から発光層に入射する電荷量、つまりは電流により発光強度が決まる電流駆動型の表示素子がある。その例として、フィールドエミッションディスプレイ（Field Emission Display、以下「ＦＥＤ」という。）や、有機エレクトロルミネッセンス（Electro Luminescence Display、以下「有機ＥＬ」という。）がある。
【０００３】
ＦＥＤは、複数ある画素毎に形成された多数の冷電子源から真空を介して蛍光面に向かって電子線を照射することにより発光を得る。
【０００４】
また、ＦＥＤには、用いる電子源によりいくつかのタイプがあり、微細な円錐形電子源を用いたＳｐｉｎｄｔ型や、表面伝導型と呼ばれる電子源を用いたもの、酸化膜の超薄膜を介したＭＩＭ型電子源を用いたものや、カーボンナノチューブ（Carbon Nano Tube、以下「ＣＮＴ」という。）を用いたＣＮＴ−ＦＥＤなどがあるが、いずれの電子源を用いた場合にも、その発光強度は発光層である蛍光面の電圧と、単位時間内における蛍光面への電子線の照射量、つまり電流により決まる。
【０００５】
この蛍光体の特性から蛍光面の電圧は、数ｋＶ以上の高電圧が用いられることから、直流電圧を印加することが一般的であり、ＦＥＤの輝度は専ら蛍光面電流である入射電子線量により変化する。
【０００６】
そこで、入射電子線量は、電子源からの電子放出量を変化させることで決められているが、例えば、Ｓｐｉｎｄｔ型やＣＮＴ−ＦＥＤでは、電子源からの電子放出量は、陰極と制御電極に適切な電圧を印加することで制御している。
【０００７】
また、ＭＩＭ型や表面伝導型においては、陰極と制御電極という構成をしていないが、いずれも２電極間に電圧を印加して流れる電流の一部を電子放出として真空中に取り出している。
【０００８】
一方、有機ＥＬでは、画素毎に形成された発光層に、陰極から電子を陽極から正孔を注入することにより発光を得ている。有機薄膜である発光層に注入された電子と正孔の再結合により発せられるエネルギにより、発光層内で励起状態が生じ、それが緩和されることにより発光が生じる。したがって、有機ＥＬにおける発光強度は単位時間内に発光層に注入される電子・正孔の数で概ね決まる。
【０００９】
つまりは、陽極から陰極に向かって発光層を流れる電流により決まっていることになるが、一般的には、陽極と陰極に印加する電圧により制御している。（ＦＥＤにおける陰極からの電子放出と、有機ＥＬにおける陰極からの電子注入を合せて、以下「電子放出」ともいう。）
【００１０】
以上のように、ＦＥＤ・有機ＥＬともに、電流により発光強度が決まる素子であるにもかかわらず、所定の電極電圧を印加する電圧駆動を行っている。この場合、複数ある各画素のそれぞれにおける電極電圧−電子放出特性の違いの影響を受け、所定の電極電圧を印加した場合においても、画素毎の輝度差が生じる可能性がある。
【００１１】
これを避けるためには、素子を流れる電流を直接制御することが検討されており、これを有機ＥＬに適用する従来技術が、下記特許文献１に記載されている。
【００１２】
この特許文献１においては、有機ＥＬの発光強度を陰極に接続する定電流源により駆動することにより発光強度を制御し、さらには、各陰極において非選択から選択への遷移時における浮遊容量への充電を、他の大容量の定電流源又は定電圧源から行っている。これにより、浮遊容量充電にかかる時間を短くし、陰極選択時における発光の立ち上がり特性を改善して応答性を高くしている。
【００１３】
また、ＦＥＤや有機ＥＬのような表示素子は、マトリクス構造を有しており、マトリクスを構成する２種の電極のいずれか一方を順次選択していく線順次表示方法を用いている。
【００１４】
この駆動方法では、各画素においては、短時間の選択期間と比較的長時間の非選択期間との２種の状態の組合せからなる。一選択期間は短時間であるため、その中での輝度変化は観察者には認識されにくい。したがって、選択期間中に一定輝度で発光した場合でも、選択期間中に短時間に強く発光した場合でも、一選択期間内の輝度積分が同じならば同じ輝度として認識される。
【００１５】
この現象を用いて、一選択期間内に、陰極電源から陰極に流れ込む総電荷量を制御して、一選択期間内の積分発光強度を制御する方法を、ＦＥＤに適用した従来技術が下記特許文献２に、さらに、有機ＥＬにも適用した従来技術が下記特許文献３に記載されている。これらの従来技術においては、一旦、浮遊容量又は外部容量素子に充電した電荷を、陰極からパルス的に放出させる方法を用いている。
【００１６】
ＦＥＤや有機ＥＬのような表示素子は、マトリクス構造を有するため必然的に電極同士が対向する領域が大きく、各電極には浮遊容量を有する。さらには、外部容量によりその容量を補正することもできる。その総容量のばらつきを小さくすることは、電子放出素子の電圧−電流特性のばらつきを小さくすることと比較して容易であり、画素間の輝度ばらつきを小さくすることができる。さらには、既知の容量素子への充電電荷は、その素子に印加する充電電圧により決まるため、駆動には構成が簡単な定電圧源を用いることができる。
【００１７】
ここで、本発明が対象としているＦＥＤにおける電極間電圧−電子放出特性、いわゆる電圧−電流特性を図３に、有機ＥＬの電極間電圧−素子電流特性の一例を図１１に示す。
【００１８】
いずれの素子においても、図３に示すように、ＦＥＤにおける制御電極と陰極の間には、電子放出開始電圧が存在し、図１１に示すように、有機ＥＬにおける陽極と陰極の間の電極間電圧には、発光開始電圧と示した閾値が存在し、この閾値以下では電流が流れず、これを超えると急激に電流が流れ始めて発光を生じるという特性を持っている。（以下、図１１に示す有機ＥＬ素子においても、陰極からの電子放出により発光が始まるので、発光開始電圧も含めて「電子放出開始電圧」という。）
【００１９】
このように、陰極から電子放出を生じさせるためには、電極間電圧が電子放出開始電圧に達するまでに必要な電荷Ｑｃと、所定の輝度の発光を得るのに必要な電荷Ｑｅの和を供給する必要がある。電荷Ｑｃは、陰極及び陰極ラインが持つ浮遊容量の影響も大きく受けるため、ＦＥＤ素子において浮遊容量を決める絶縁膜厚のばらつきが必要な電荷量Ｑｃに影響与える。
【００２０】
このため絶縁膜厚のばらつきに対応した電子放出開始電圧設定と、放出させるための電荷注入を組み合わせることにより、画素間の輝度ばらつきを抑制する従来技術が、下記特許文献４に記載されている。
【００２１】
この従来技術においては、画素選択時の第一期間において、制御電極には電子放出抑制電圧を印加したまま、制御電極に電子放出電圧を印加しても電極間電圧が電子放出開始電圧よりやや低い電圧となるような電圧Ｖ１を陰極に印加して充電する。
【００２２】
次に、Ｖ１に加えて、さらに放出させる電荷Ｑｅを充電するための電圧を印加した後に、制御電極に電子放出電圧を印加する。これにより、均一性が改善された電子放出を電圧源のみで生じさせることができる。
【特許文献１】特開平１１−２３１８３４号公報
【特許文献２】特開２０００−１３３１１６号公報
【特許文献３】特開２００２−２３６８８号公報
【特許文献４】特開２００２−５５６５２号公報
【発明の開示】
【発明が解決しようとする課題】
【００２３】
上記特許文献１に示された定電圧源又は定電流源により、第一期間において電極を充電し、第二期間において定電流源により輝度制御する方法では、定電圧源と比較して構成の複雑な定電流源を備える必要があり高価になるという問題に加え、第一期間における充電条件の設定（電圧、電流、時間）が難しく、各画素の素子状態の時間変化に対応できないという問題もある。
【００２４】
また、上記特許文献２，３に示されている電荷を制御する方法においては、浮遊容量を活用することにより電圧駆動とほぼ同じ回路構成で実現できるため、駆動回路が複雑化することはないが、陰極の特性である電子放出開始電圧が存在することに対して配慮されていない。このため電子放出に寄与せず電極電圧を開始電圧まで変化させるに必要な電荷量分だけ陰極からの放出電荷量が減少するという問題がある。
【００２５】
これに対処し、電子放出開始電圧を考慮したものが上記特許文献４であるが、電子放出開始電圧を考慮した補正が、製造時の絶縁膜厚つまりは電極間の浮遊容量しか考慮の対象になっていない。この特許文献４が対象としているＦＥＤの陰極では、表面が接している雰囲気内のガス吸着等により、表面状態が変化する。このような陰極表面の状態変化は、電極形成後の真空排気プロセス中や表示動作中にも生じ、それに伴って電子放出開始電圧の時間変化が生じる恐れがある。
【００２６】
また、特許文献４に示された技術においては、電極構造形成後やその後の動作中における電子放出開始電圧の変化に対する考慮がなされていなかった。さらに、特許文献４の対象はＦＥＤのみであるが、有機ＥＬにおいても動作中に陰極を含む各層間の界面状態の変化に伴い、発光を開始する電子放出開始電圧の変化が生じるため、動作中の時間変化に対応できる機構が必要となる。
【００２７】
そこで、本発明の目的は、ＦＥＤや有機ＥＬにおいて、陰極から放出される電荷量を制御する駆動機構を有し、かつ、発光を開始する電子放出開始電圧を測定する機構を駆動装置内に備えて、電子放出開始電圧の変化を検出し、その結果を基に駆動信号を補正する機構を備えることにより、発光均一性が高く、高画質の画像表示を可能とした平面型画像表示装置を提供することにある。
【課題を解決するための手段】
【００２８】
上記目的を達成するため、本発明は、次の構成を有することを特徴とする。すなわち、（１）複数の第１電極ラインと複数の第２電極ラインとの交差部に配置された画素と、前記第１電極ラインに輝度信号に応じた電圧を印加する第１電極駆動部と、前記第２電極ラインに選択電圧を印加する第２電極駆動部と、前記選択電圧による選択期間内で輝度信号に応じた電圧を一時的に保持する浮遊容量とを有する平板型画像表示装置において、
前記第１電極駆動部が第１電極ラインを開放した状態で選択期間終了直前における第１電極ラインの電圧を測定する電圧測定部と、測定された電圧の値を記録する記録テーブルと、記録された電圧の値を基に第１電極ラインに印加する輝度信号に応じた電圧を補正する電圧補正部とを備えたことにより達成することができる。
【００２９】
また、本発明は、前記記録テーブルに記録されている電圧の値と新規に測定された電圧の値とを用いて演算処理を行い、その演算結果を新たな電圧の値として記録テーブルに記録させる演算処理部を備えるものである。
【００３０】
また、本発明は、前記第２電極駆動部は第２電極ラインに非選択電圧を印加し、前記第１電極駆動部は第１電極ラインに輝度信号に応じた電圧を印加して浮遊容量を充電した後に、第１電極ラインを開放し、第２電極駆動部は選択された第２電極ラインに選択電圧を印加することを特徴とするものである。
【００３１】
また、本発明は、前記第１電極ラインに外部容量を付加させるものである。
【００３２】
さらに、本発明は、次の構成を有することを特徴とする。すなわち、（２）前記第１電極ラインに接続された第１電極と、前記第２電極ラインに接続された第２電極とを備え、第１電極から放出された電子が、大気圧よりも低く減圧された空間を介して蛍光面パネルに入射し、蛍光面が発光することにより画像を表示することを特徴とする。
【００３３】
また、本発明は、前記第１電極から電子放出が生じる状態における、第１電極電圧をＶｋ、第２電極電圧をＶｇ及び蛍光面電圧をＶｐとし、蛍光面と第１電極との間の距離をｄｐｋ、蛍光面と第２電極との間の距離をｄｐｇとしたとき、ｄｐｋ＞ｄｐｇであって、Ｖｇ＜（Ｖｐ−Ｖｋ）／ｄｐｋ×（ｄｐｋ−ｄｐｇ）＋Ｖｋである表示素子を用いたことを特徴とする。
【００３４】
また、本発明は、前記第１電極から電子放出が生じる状態における、第１電極電圧をＶｋ、第２電極電圧をＶｇ及び蛍光面電圧をＶａとし、蛍光面と第１電極との間の距離をｄｐｋ、蛍光面と第２電極との間の距離をｄｐｇとしたとき、ｄｐｋ−ｄｐｇの絶対値が、第１電極の膜厚と第２電極の膜厚のうち厚い方の膜厚以下であって、Ｖｇ≦Ｖｋである表示素子を用いたことを特徴とする。
【００３５】
また、本発明は、前記第１電極の表面に、繊維状炭素材料を含む表示素子を備えたことを特徴とする。
【００３６】
さらに、本発明は、次の構成を有することを特徴とする。すなわち、（３）前記第１電極と第２電極との間に有機発光層を有する発光素子を用いたことを特徴とする。
【００３７】
なお、本発明は、上記の各構成及び後述する実施例に記載される構成に限定されるものではなく、本発明の技術思想を逸脱することなく、種々の変更が可能であることは言うまでもない。
【発明の効果】
【００３８】
本発明によれば、ＦＥＤや有機ＥＬに代表される電圧ではなく電流により輝度が決まるマトリクス構造の表示素子を用いた画像表示装置において、画素間の電子放出開始電圧すなわち閾電圧の違いや、動作中における閾電圧の変動を補正することができる。これにより、輝度均一性のよい発光を行わせることが可能となり、高画質の平板型画像表示装置を提供することができる。
【発明を実施するための最良の形態】
【００３９】
以下、本発明の実施例について、図面を参照して詳細に説明する。
【実施例１】
【００４０】
本発明によるＦＥＤを用いた平板型画像表示装置の実施例１について、図１を用いて説明する。図１（ａ）及び（ｂ）は、本実施例の制御電極及び陰極駆動部の構成を示す図である。
【００４１】
図１に示したように、本実施例では、表示素子としてＦＥＤ（ＦＥ）を用いており、電子を放出する陰極（Ｋ）、陰極表面の電界を制御する制御電極（Ｇ）、陰極（Ｋ）から放出された電子の入射により発光する蛍光面（Ｐ）の３電極を主体に構成される。
【００４２】
複数の陰極ライン（ＫＬ）と複数の制御電極ライン（ＧＬ）とにより、マトリクス構造が形成されており、その交差部に、陰極ライン（ＫＬ）に電気的に接続された陰極（Ｋ）と、制御電極ライン（ＧＬ）に電気的に接続された制御電極（Ｇ）とから構成されている電子線源があり蛍光面（Ｐ）上の発光部とともに画素を形成する。
【００４３】
陰極（Ｋ）と制御電極（Ｇ）のそれぞれの電極群を接続している陰極ライン（ＫＬ）と制御電極ライン（ＧＬ）により、マトリクス構造が形成されており、他の電極との対向面も大きいことから、各々の陰極ライン（ＫＬ）には浮遊容量Ｃｋが存在する。
【００４４】
陰極ライン（ＫＬ）には、それぞれのライン毎に電圧設定をすることができる陰極駆動部（ＤＫ）が接続されており、発光させたい輝度信号に応じた設定電圧Ｖｂを印加することができるとともに、駆動部を切り換えることにより開放された状態、つまり、ハイインピーダンス状態にもすることができる。
【００４５】
一方、制御電極ライン（ＧＬ）にも、それぞれのライン毎に電子放出電圧（選択電圧）ＶｇＯＮと電子放出抑制電圧（非選択電圧）ＶｇＯＦＦを選択して印加することができる制御電極駆動部（ＤＧ）が接続されている。
【００４６】
蛍光面（Ｐ）には、その表面に塗布されている蛍光体（図示せず）が発光するのに十分なエネルギーを電子に与えることができる高電圧の蛍光面電源（ＰＰ）が接続されている。
【００４７】
制御電極ライン（ＧＬ）側を順次選択することと、選択する制御電極ライン上にある画素に要求される発光強度に応じた電圧出力を一斉に陰極ライン（ＫＬ）側に印加することとの組合せにより、各画素を構成する陰極表面から所望の電子放出を生じさせ、この放出電子が蛍光面（Ｐ）上の蛍光体を発光させることにより所望の画像を表示する。
【００４８】
本実施例においては、制御電極駆動部（ＤＧ）の動作に同期したトリガ信号（ＴＲ）により、動作タイミングを制御して、陰極ライン（ＫＬ）電圧Ｖｋを測定することができる閾電圧測定部（ＶＭ）を備えている。
【００４９】
この閾電圧測定部（ＶＭ）での閾電圧測定は、陰極駆動部（ＤＫ）により、陰極ライン（ＫＬ）が陰極電源（ＰＫ）から切り離されて、ハイインピーダンス状態になった時に行う。なお、図１（ａ）においては、閾電圧測定部（ＶＭ）を直接陰極ライン（ＫＬ）に接続しているが、図１（ｂ）に示すように、陰極駆動部（ＤＫ）内の遮断側に接続しても測定することができる。また、閾電圧測定部（ＶＭ）内を流れる電流が多いと、測定誤差や放出電子量の低下につながるため、閾電圧測定部（ＶＭ）の内部インピーダンスは、安定動作範囲内において高いことが望ましい。
【００５０】
本実施例においては、陰極ライン（ＫＬ）上の浮遊容量Ｃｋを活用しているが、浮遊容量だけでは容量不足の場合や、各陰極ラインの間で浮遊容量のばらつきが著しく大きい場合には、各陰極ライン（ＧＬ）に外部容量を付加させることもできる。この場合には、付加する外部容量を各陰極ラインの浮遊容量の状態に合せて適切に選択することにより、電圧可変範囲の狭い陰極駆動部（ＤＫ）を用いても駆動できるようにすることもできる。外部容量を付加した場合は、結局、陰極ライン（ＫＬ）上の浮遊容量が大きい場合と同様であるので、以下においては、外部容量を付加した場合の説明は省略する。
【００５１】
以下、図１に示した構造における駆動手順を、各電極の電圧変化および電子放出による電流変化を示した図２と、ＦＥＤに用いる陰極と制御電極の間の電極間電圧−電子放出強度特性を示した図３とを用いて説明する。
【００５２】
図２には、これから選択制御ラインとなるｊ番目の制御電極ラインの電圧Ｖｇ（ｊ）、次の選択制御電極ラインの電圧Ｖｇ（ｊ＋１）、ある陰極ライン用の陰極駆動部出力電圧Ｖｂ、駆動部から同陰極ラインへの流入電流Ｉｋ、同陰極ラインの電圧Ｖｋ、同陰極からの放出電子による電流Ｉｅを示している。また、図２中に示した各タイミングにおける制御電極と陰極との間の電極間電圧Ｖｇｋと電子放出の状態を図３中にＴ０〜Ｔ３により表してある。
【００５３】
まず、制御電極電源（ＰＧ）と制御電極駆動部（ＤＧ）により、ｊ番目の制御電極ライン（ＧＬ（ｊ））を含めた全ての制御電極ライン（ＧＬ）の電圧を、電子放出抑制電圧ＶｇＯＦＦにした状態にする（タイミング０（Ｔ０））。この時には、電極間電圧Ｖｇｋは、図３中のＴ０で示したところとなっており電子放出は生じない。
【００５４】
この状態で、これから電子放出を生じさせようとする陰極（Ｋ）に接続された陰極ライン（ＫＬ）を、陰極駆動部（ＤＫ）を介して、陰極電源（ＰＫ）に接続し、所望の輝度を得るに必要な電圧Ｖｂ１に充電する（第一期間（Ｐ１））。
【００５５】
この時、出力電圧Ｖｂ１の値は、事前に記録してある当該陰極の閾電圧Ｖｔｈと、所定の発光を得るのに必要な電荷量から決まる電圧の和から決定される。陰極駆動部出力電圧Ｖｂの決定方法については後述する。
【００５６】
出力電圧Ｖｂ１の陰極駆動出力を接続した陰極ライン（ＫＬ）に電子が流入することにより、陰極ライン電圧ＶｋがＶｂ１に向かって低下する。
【００５７】
陰極ライン（ＫＬ）上に存在する浮遊容量Ｃｋに対して電荷は蓄えられるが、全ての制御電極ライン（ＧＬ）に電子放出抑制電圧ＶｇＯＦＦが印加されているので電子放出は生じない。この時の電極間電圧Ｖｇｋは、図３中のＴ１に示したところに移るが、やはり電子放出は生じない。
【００５８】
次に、電圧Ｖｂ１により浮遊容量Ｃｋに所定の電荷が蓄えられたのち、陰極駆動部（ＤＫ）により、陰極電源（ＰＫ）と全ての陰極ライン（ＫＬ）との間の接続を遮断する（タイミング１（Ｔ１））。この状態では、浮遊容量Ｃｋに対して、充電も放電もされないので陰極ライン電圧Ｖｋは維持される（第二期間（Ｐ２））。
【００５９】
続けて、制御電極駆動部（ＤＧ）により電子放出を生じさせようとする画素を含む制御電極ライン（ＧＬ（ｊ））のみの電圧Ｖｇ（ｊ）を電子放出電圧ＶｇＯＮに切り換える（タイミング２（Ｔ２））。
【００６０】
これにより制御電極電圧Ｖｇ（ｊ）はＶｇＯＮ、陰極電圧（Ｖｋ）はＶｂ１となり、電極間電圧Ｖｇｋは、図３に示したＴ２の状態になり電子放出が生じる。したがって、該当する制御電極ライン（ＧＬ（ｊ））に接続されている陰極（Ｋ）表面から電子放出が生じて電流Ｉｅが流れる。
【００６１】
この電子放出に伴い、浮遊容量Ｃｋに充電されていた電荷が放電されて陰極ライン電圧ＶｋがＶｂ１から急激に変化して電極間電圧Ｖｇｋが低下（図３のＴ２からＴ３に遷移）して、電子放出強度も急激に低下するためにパルス状の電子放出となる（第三期間（Ｐ３））。この時の最大電流Ｉｅｐは、陰極（Ｋ）表面に印加されている電界により制限される。
【００６２】
陰極ライン電圧Ｖｋが閾電圧Ｖｔｈに近づくのに応じて、電極間電圧Ｖｇｋが電子放出開始電圧に近づき、電子放出電流Ｉｅが減少するので、陰極ライン（ＫＬ）からのリーク電流を十分小さくしておけば、陰極ライン電圧ＶｋはＶｔｈを越えることはない。
【００６３】
したがって、選択制御電極ライン（ＧＬ（ｊ））の電圧Ｖｇ（ｊ）を、電子放出電圧ＶｇＯＮから電子放出抑制電圧ＶｇＯＦＦに切り換える時（タイミング３（Ｔ３））の直前においては、陰極ライン（ＫＬ）の電圧は、各陰極ライン上で電子放出を生じたｊ番目の制御電極ライン（ＧＬ（ｊ））との交点に存在する各陰極（Ｋ）が持つ閾電圧Ｖｔｈとなっているので、この値を閾電圧測定部（ＶＭ）により測定して、閾電圧記録テーブルに記録する。
【００６４】
以上で、ｊ番目の制御電極ライン（ＧＬ（ｊ））上の画素の動作が完了し、次の（ｊ＋１）番目の制御電極ライン（ＧＬ（ｊ＋１））上の画素において同様の動作を行う。このように、全ての制御電極ラインにおいて同様の動作を行った後、再びｊ番目の制御電極ライン（ＧＬｊ）上の画素の動作を行う場合には、前回記録された閾電圧Ｖｔｈの値を基にＶｂを補正することにより、閾電圧Ｖｔｈの変動を補正することができる。
【００６５】
以下に、陰極駆動部（ＤＫ）の出力電圧Ｖｂの設定方法について説明する。
【００６６】
発光輝度は上記第三期間内における全放出電子量ΔＱｅに依存する。そして、全放出電子量ΔＱｅは、当該陰極ライン（ＫＬ）が他の電極等との間に持つ浮遊容量Ｃｋの一方の電極である陰極ラインの電圧Ｖｋが、タイミング（Ｔ２）におけるＶｂ１の状態から閾電圧であるＶｔｈの状態になるまでの蓄積電荷量変化ΔＱに相当する。
【００６７】
この間、他の電極電圧は変化しないので陰極ライン電圧Ｖｋのみを考慮すればよく、放出電子量ΔＱｅは、ΔＱｅ＝ΔＱ＝Ｃｋ（Ｖｂ１−Ｖｔｈ）……（１）となる。
【００６８】
瞬間的な電子放出強度には、図３に示したように電極間電圧−電子放出強度特性の影響も考慮しなければならないが、（１）式からわかるように一選択期間内で放出される電荷量の総量ΔＱｅは浮遊容量Ｃｋと陰極ライン電圧Ｖｋの変化幅（Ｖｂ−Ｖｔｈ）のみで決まる。なお、浮遊容量は、ＦＥＤ等の発光素子完成時に測定することができる。
【００６９】
設定すべき電圧Ｖｂは、陰極部出力電圧Ｖｂ１であるので、閾電圧Ｖｔｈと、上記電荷量変化ΔＱｅ＝ΔＱに必要な電圧幅ΔＶｋ＝（Ｖｂ１−Ｖｔｈ）を求める。
【００７０】
発光させる輝度、蛍光面（Ｐ）の形状や発光効率、走査線数及び電極形状等から導かれる電子の利用効率等から、一選択期間内に陰極から放出させる必要がある電荷量ΔＱｂを得ることができる。
【００７１】
このΔＱｂから、必要な電圧幅ΔＶｋは、ΔＶｋ＝（Ｖｂ１−Ｖｔｈ）＝ΔＱｂ／Ｃｋ……（２）となる。
【００７２】
したがって、閾電圧Ｖｔｈを得ることができれば、陰極駆動部の出力電圧Ｖｂを得ることができる。
【００７３】
閾電圧Ｖｔｈの測定は、上記方法によりタイミング３（Ｔ３）直前における陰極ライン電圧Ｖｋを測定することができるので、以下に、これを駆動部出力電圧Ｖｂの補正に用いるための流れについて、図４から図６を用いて説明する。
【００７４】
図４に、画像表示装置に用いられる制御部の構成の一例を示す。表示素子としては図１に示したようなＦＥＤを用いており、図５に示したような接続になっている。
【００７５】
図５において、複数ある陰極ライン（ＫＬ）のそれぞれに異なった電圧を印加できる陰極駆動部（ＤＫ）と、複数ある制御電極ライン（ＧＬ）のうちの０本又は１本に電子放出電圧を印加し、それ以外の制御電極ライン（ＧＬ）に電子放出抑制電圧を印加することができる制御電極駆動部（ＤＧ）を介して接続している。
【００７６】
さらに、陰極ライン（ＫＬ）のそれぞれには閾電圧測定部（ＶＭ）が接続され、また、蛍光面（Ｐ）には蛍光面電源（ＰＰ）が接続されている。なお、画像表示を行うための信号の流れについては一般的であるので省略する。
【００７７】
本発明の特徴的な構成部は、遮断機構を有する陰極駆動部であるが、その構造は図１を用いて説明したとおりであるので省略する。
【００７８】
その他としては、閾電圧測定部や閾電圧記憶テーブルの動作が画像表示に同期させて行えるようタイミング信号が接続されている。
【００７９】
図１を用いて説明したように表示素子内の陰極ライン（ＫＬ）と陰極駆動部（ＤＫ）の間を遮断した状態で電子放出を生じさせた後、制御電極電圧Ｖｇを電子放出電圧ＶｇＯＮから電子放出抑制電圧ＶｇＯＦＦに切り換える直前の時の陰極ライン電圧Ｖｋを閾電圧測定部（ＶＭ）を用いて測定することにより、電子放出電圧ＶｇＯＮを印加していた制御電極ライン（ＧＬ）上の各画素を構成する陰極（Ｋ）の閾電圧Ｖｔｈを測定することができる。このように測定された閾電圧の値は閾電圧記録テーブルに画素毎に記録する。
【００８０】
このようにして、複数ある制御電極ライン（ＧＬ）には、順次電子放出電圧ＶｇＯＮを印加していくので、これに同期させて各陰極の閾電圧Ｖｔｈを測定することにより、全画素の陰極の閾電圧Ｖｔｈを測定し、記録することができる。
【００８１】
図５には、閾電圧測定部（ＶＭ）として１系統の測定部しか示していないが、各陰極ライン（ＫＬ）のそれぞれに閾電圧測定部（ＶＭ）が接続されており、制御電極ライン（ＧＬ）を１本選択して駆動する毎に、当該制御電極ライン（ＧＬ）上の画素を構成する全陰極の閾電圧を測定することができる。
【００８２】
本実施例では、陰極ライン数分の閾電圧測定部（ＶＭ）を備えた構造としたので全制御電極を順次選択して、１画面を表示する毎に、全画素に関する閾電圧Ｖｔｈを測定することができ、閾電圧の変動に対してほぼリアルタイムに補正することができる。
【００８３】
しかし、別途陰極ライン切り換え機構を備えることにより、順次ではあるが全画素に関する閾電圧Ｖｔｈを測定することはできるので、閾電圧Ｖｔｈの変動がゆるやかな場合は、陰極ラインよりも少ない系統数の閾電圧測定部（ＶＭ）を備えることによっても本発明の効果を得ることができる。
【００８４】
閾電圧記録テーブルに記録された閾電圧値は、該当する画素が次回以降に選択される際に読み出され、（２）式に基づいて、入力信号である画像信号とともに陰極駆動部出力電圧Ｖｂを決定する。決定された電圧Ｖｂは、Ｄ／Ａ変換を介して陰極駆動部に伝えられて実際に表示素子の陰極ラインに印加される。
【００８５】
このような、閾電圧測定、記録、読み出し、陰極駆動部出力電圧決定、電圧印加のサイクルを繰り返すことにより、閾電圧Ｖｔｈが変動した場合の輝度変化を補正することができる。
【００８６】
図４では、閾電圧Ｖｔｈを測定するために閾電圧記録テーブルに直接記録しているが、図６に示したように新たに測定した値と予め記録されている値を用いた演算処理を行い、その結果を閾電圧記録テーブルに新たな値として記録してもよい。
【００８７】
この演算として、例えば、重み付き平均化処理を行うことにより、外来ノイズや単発的な閾電圧変化等の影響を抑制して過剰補正を防止することができる。なお、演算処理の内容について平均化に限らず多くの方法が考えられることは言うまでもない。
【００８８】
ここで、表示素子としてＦＥＤを用いた場合は、陰極（Ｋ）から放出された電子が蛍光面（Ｐ）に入射することにより発光を得ており、陰極（Ｋ）からの電子放出量を制御することにより発光強度を制御している。
【００８９】
なお、電極の構造上、放出された電子の一部が制御電極（Ｇ）に入射してしまう状態でも、電極間電圧−電子放出強度特性に電子放出開始電圧が存在し、かつ、放出電子量と制御電極への入射量の比が一定であれば本発明の効果を得ることができる。
【００９０】
しかし、本発明の効果を十分に活かすためには、制御電極（Ｇ）への電子入射がなく、制御している陰極（Ｋ）からの放出電荷量が全て蛍光面（Ｐ）への入射電荷量となることが望ましい。
【００９１】
この条件を満たすことができ、さらに効果的に本発明を活用することができるＦＥＤの電極構造を図７及び図８に示す。図７及び図８に示すように、ＦＥＤは、主に陰極（Ｋ）、制御電極（Ｇ），蛍光面（Ｐ）の３種の電極から構成されている。
【００９２】
図７は、制御電極（Ｇ）が、陰極（Ｋ）と蛍光面（Ｐ）の間に配置された構造を示している。この構造において、電子放出が生じている時の陰極（Ｋ）の電圧をＶｋ、制御電極（Ｇ）の電圧をＶｇ、蛍光面（Ｐ）の電圧をＶｐとし、蛍光面（Ｐ）と陰極（Ｋ）の間の距離をｄｐｋ、蛍光面（Ｐ）と制御電極（Ｇ）の間の距離をｄｐｇとしたとき、ｄｐｋ＞ｄｐｇであって、Ｖｇ＜（Ｖｐ−Ｖｋ）／ｄｐｋ×（ｄｐｋ−ｄｐｇ）＋Ｖｋとなるような条件下で駆動することにより、陰極（Ｋ）から放出された電子線は、制御電極（Ｇ）付近において集束し、制御電極（Ｇ）への入射を極力抑えることができる。
【００９３】
これにより、陰極（Ｋ）から放出された電子のほとんどを蛍光面（Ｐ）に入射させることができ、本発明の効果を有効に活用することができる。
【００９４】
また、図８に示したように、制御電極（Ｇ）を陰極（Ｋ）と概ね同じ高さの位置に設置することによっても、制御電極（Ｇ）への電子入射を抑制し、放出電荷制御の効果を有効に活用することができる。このような電極配置（以下「ＩＰＧ構造」という。）においては、陰極から放出される電子は、正の高電圧を印加している蛍光面（Ｐ）に向かって放出されるため、制御電極（Ｇ）の近傍を通過しない。特に、蛍光面電圧Ｖｐ、陰極電圧Ｖｋ及び蛍光面−陰極間距離ｄｐｋにより定まる、蛍光面（Ｐ）と陰極（Ｋ）間の平均電界Ｆｐｋ＝（Ｖｐ−Ｖｋ）／ｄｐｋ……（３）よりも低い電界によっても十分な電子放出を得られる陰極材料を用いた場合において効果的である。
【００９５】
このような陰極材料としては、カーボンナノチューブや、カーボンナノファイバを始めとする太さがナノメートルサイズである炭素系繊維材料があり、これらを陰極の下地膜上に直接成長させるか、または、溶剤に分散させたのち樹脂剤等を混合したペーストを印刷することにより、低電界で電子放出が得られる陰極を形成することができる。例えば、カーボンナノチューブをペースト化したものを印刷することにより形成される陰極では、約３Ｖ／μｍ程度で十分な電子放出を得ることができる。
【００９６】
この陰極を用いて、図８に示したＩＰＧ構造を形成し、蛍光面−陰極（制御電極）間距離ｄｐｋ（＝ｄｐｇ）を２ｍｍ、蛍光面電圧Ｖｐを６ｋＶ、制御電極間隔１５０μｍとした場合の、電子放出時の制御電極電圧Ｖｇ及び陰極電圧Ｖｋは、いずれも０Ｖであり、制御電極Ｖｇを−１００Ｖにするか、陰極電圧Ｖｋを＋１００Ｖにすることにより電子放出を遮断することができる。
【００９７】
この電極電圧制御を組み合わせることによりマトリクス動作の電子線源を構成することができ、図５に示すように、蛍光面パネル（Ｐ）と組み合わせることによりＦＥＤを構成することができる。
【実施例２】
【００９８】
以上は表示素子としてＦＥＤを用いた場合を示したが、次に表示素子として有機ＥＬ素子を用いた実施例２を、図９から図１３を用いて説明する。
【００９９】
図９は本実施例の有機ＥＬ素子を用いた画像表示装置の電極信号印加部の構成を示す図、図１０は有機ＥＬ素子の発光部の膜構成を表す図、図１１は本実施例に用いる有機ＥＬ素子の電極間電圧−素子電流特性の一例を表すグラフ、図１２は駆動部と表示素子である有機ＥＬ素子の接続を表す図、図１３は画像表示装置の全体構成図である。
【０１００】
図９において、本実施例の表示装置は、各画素の有機ＥＬ素子（ＥＬ）の画素である発光部（ＥＬＣ）の陽極同士及び陰極同士を接続して、陽極ライン（ＡＬ）及び陰極ライン（ＫＬ）を構成し、それぞれのラインに所定の電圧を印加することにより、画素の発光／非発光を制御する。
【０１０１】
発光部（ＥＬＣ）は、図１０に示した膜構造のものを用いており、陽極（Ａ）上に、正孔注入層（ＨＩＬ）、発光層（ＥＭ）、電子注入層（ＥＩＬ）、陰極（Ｋ）の順に積層したものである。
【０１０２】
この発光部（ＥＬＣ）の両端に電圧を印加すると、図１１に示すように電極間電圧−素子電流特性を示し、電子放出開始電圧以上の電圧を印加することにより、素子電流が流れて発光する。
【０１０３】
ここで、図９に示すように、陽極ライン（ＡＬ）と陰極ライン（ＫＬ）によりマトリクス構造を形成しており、電子放出開始電圧以下の電圧を印加して素子電流が流れていない状態においては、浮遊容量（Ｃｋ）の影響を受ける。
【０１０４】
各陽極ライン（ＡＬ）には、陽極電源（ＰＡ）により供給される選択電圧ＶａＯＮと非選択電圧ＶａＯＦＦの２電圧を切り換えて印加することができる陽極駆動部（ＤＡ）が接続されている。
【０１０５】
一方、陰極ライン（ＫＬ）には、陰極電源（ＰＫ）により供給される電圧を輝度に応じた所定の電圧Ｖｂに調整して供給したり、陰極ライン（ＫＬ）を陰極電源（ＰＫ）から遮断してハイインピーダンス状態にしたりすることができる陰極駆動部（ＤＫ）が接続されている。
【０１０６】
そこで、図１２に示すように、陰極駆動部（ＤＫ）や陽極駆動部（ＤＡ）は、それぞれの陽極ライン（ＡＬ）や陰極ライン（ＫＬ）の電圧を個別に制御できるように接続してある。
【０１０７】
画像表示の際には、陽極ライン（ＡＬ）側を順次選択し、陰極ライン（ＫＬ）側に各画素の発光に必要な電圧を印加することにより画像表示を行う。
【０１０８】
以下に、図９に示すｊ番目の陽極ライン（ＡＬ（ｊ））上の発光部（ＥＬＣ）を発光させる場合の動作ステップを説明する。
【０１０９】
まず、ｊ番目の陽極ラインを含めて全ての陽極ラインに非選択電圧ＶａＯＦＦを印加する。この状態において、陰極駆動部（ＤＫ）を陰極電源（ＰＫ）側に切り換え、陰極ライン（ＫＬ）には、ｊ番目の陽極ライン（ＡＬ（ｊ））と各陰極ライン（ＫＬ）の交点での画素の発光に必要な電圧Ｖｂを印加する。各陰極ライン（ＫＬ）には、それぞれ浮遊容量Ｃｋが存在し、印加した電圧により充電される。この状態では、陽極電圧Ｖａは非選択電圧ＶａＯＦＦであり、陽極（Ａ）−陰極（Ｋ）間電圧が電子放出開始電圧以下となるように設定しているために発光は生じない（期間１）。
【０１１０】
その後、陰極駆動部（ＤＫ）を開放側に切り換えて、陰極ライン（ＫＬ）と陰極電源（ＰＫ）を遮断した後に、ｊ番目の陽極ライン（ＡＬ（ｊ））に選択電圧ＶａＯＮを印加する。期間１において充電された陰極ライン上の画素においては、充電された電荷を放電するために陽極（Ａ）−陰極（Ｋ）間に素子電流が流れ、充電電荷量に応じた発光を生じる。一方、期間１において充電されなかった陰極ライン上の画素においては、放電されるべき電荷がないので素子電流が流れず発光は生じない（期間２）。
【０１１１】
充電された画素においては、図１１に示した電極間電圧−素子電流特性に応じたピーク電流が流れるが、陰極ライン（ＫＬ）が陰極電源（ＰＫ）から遮断されているために、陰極（Ｋ）電圧はしだいに陽極（Ａ）に近づき、電極間電圧Ｖａｋが電子放出開始電圧に達すると素子電流が流れなくなるため、電極間電圧Ｖａｋが電子放出開始電圧以下になることはない。
【０１１２】
電子放出開始電圧に達するまでに素子電流量の積分値、つまりは、１発光期間に素子を流れる電荷量は、ＦＥＤの場合と同様に、期間１において陰極ライン（ＫＬ）に印加した電圧Ｖｂと放電が終了する時の閾電圧Ｖｔｈとの差と、浮遊容量Ｃｋにより表される。この浮遊容量Ｃｋは測定することができる。
【０１１３】
さらには、期間２の放電（発光）期間において、ｊ番目の陽極ライン（ＡＬ（ｊ））の印加電圧を選択電圧ＶａＯＮから非選択電圧ＶａＯＦＦに切り換える直前には十分放電した状態であるので、この時の各陰極ラインの電圧を測定することにより、ｊ番目の陽極ライン（ＡＬ（ｊ））上の画素の閾電圧Ｖｔｈを閾電圧測定部（ＶＭ）により測定することができる。
【０１１４】
発光に寄与する電荷を充電するに必要な電圧（Ｖｂ−Ｖｔｈ）は、電極間電圧−素子電流特性と、発光部（ＥＬＣ）の持つ発光効率、浮遊容量Ｃｋから求めることができる。したがって、期間１に印加すべき電圧Ｖｂを求めることができる。
【０１１５】
図１３に示す構成により、陽極ラインの線順次走査と各陰極ラインの閾電圧測定を組み合わせて、表示素子内の各画素の閾電圧を閾電圧測定部により測定し、閾電圧記録テーブルに記録する。この閾電圧記録テーブル上の閾電圧を基に補正し、次の発光期間には、輝度信号により要求される発光強度を得るに必要な電圧値Ｖｂを求める。
【０１１６】
この、閾電圧測定、記録、補正のサイクルは、各表示期間（例えば、１／６０秒毎）に行えば、より正確に輝度補正を行うことができるが、表示素子の閾電圧の変動状況に応じて適切な測定周期を選択してもよい。
【０１１７】
以上のような閾電圧測定及び補正を用いて、１発光期間内に画素を流れる電荷量を制御することにより、ＦＥＤの場合と同様に、有機ＥＬ素子を表示素子として用いた場合においても発光均一性のよい画像表示装置が得られる。なお、表示素子として有機ＥＬを用いた場合においても、図６に示した演算機能を有する補正部が有効であることはいうまでもない。
【図面の簡単な説明】
【０１１８】
【図１（ａ）】ＦＥＤ画像表示装置における制御電極及び陰極駆動部の構成図。
【図１（ｂ）】ＦＥＤ画像表示装置における制御電極及び陰極駆動部の他の構成図。
【図２】ＦＥＤ画像表示装置における電極電圧及び電流変化を表すグラフ。
【図３】ＦＥＤ画像表示装置における電極間電圧−電子放出強度特性を表すグラフ。
【図４】ＦＥＤ画像表示装置のブロック図。
【図５】ＦＥＤ画像表示装置の全体構成図。
【図６】ＦＥＤ画像表示装置の他のブロック図。
【図７】陽極−陰極間に制御電極があるＦＥＤ素子の電極配置の一例を表す図。
【図８】陰極と制御電極が同じ高さあるＦＥＤ素子の電極配置の一例を表す図。
【図９】有機ＥＬ素子を用いた画像表示装置における陰極及び陽極駆動部の構成図。
【図１０】有機ＥＬ素子の発光部の膜構成を表す図。
【図１１】有機ＥＬ素子における電極間電圧−素子電流特性を表すグラフ。
【図１２】有機ＥＬ素子を用いた画像表示装置の全体構成図。
【図１３】有機ＥＬ素子を用いた画像表示装置のブロック図。
【符号の説明】
【０１１９】
ＦＥ…電界放射型表示素子、Ｐ…蛍光面、Ｇ…制御電極、Ｋ…陰極、ＫＬ…陰極ライン、ＧＬ…制御電極ライン、Ｃｋ…陰極ライン浮遊容量、ＰＰ…蛍光面電源、ＰＧ…制御電極電源、ＰＫ…陰極電源、ＤＧ…制御電極駆動部、ＤＫ…陰極駆動部、ＶＭ…閾電圧測定部、ＴＲ…陰極電圧測定トリガ信号、ＥＬ…有機ＥＬ素子、ＥＬＣ…有機ＥＬ発光部、Ａ…陽極、ＨＩＬ…正孔注入層、ＥＭ…発光層、ＥＩＬ…電子注入層、ＡＬ…陽極ライン、ＰＡ…陽極電源、ＤＡ…陽極駆動部、ｅ…電子線、ｄｇｋ…陰極−制御電極間距離、ｄｐｇ…陽極−制御電極間距離、ｄｐｋ…陽極−陰極間距離、Ｖｔｈ…閾電圧、Ｖｇ…制御電極ライン電圧、ＶｇＯＮ…電子放出電圧（選択電圧）、ＶｇＯＦＦ…電子放出抑制電圧（非選択電圧）、ＶａＯＮ…選択陽極ライン電圧、ＶａＯＦＦ…非選択陽極ライン電圧、Ｖｋ…陰極ライン電圧、Ｖｇｋ…制御電極−陰極間電圧、Ｖｂ…陰極駆動部出力電圧、Ｉｋ…陰極ライン流入電流、Ｉｅ…電子放出による電流、Ｉｅｐ…電子放出による電流のピーク値、Ｐ１…駆動の第一期間（陰極ラインへの充電期間）、Ｐ２…駆動の第二期間（陰極ライン電圧維持期間）、Ｐ３…駆動の第三期間（電子放出期間）、Ｔ０…一選択期間の開始（充電開始）、Ｔ１…第１のタイミング（充電終了）、Ｔ２…第２のタイミング（電子放出開始）、Ｔ３…第３のタイミング（閾電圧測定及び一選択期間終了）。
【図１（ａ）】
2007121430.tif 000003
【図１（ｂ）】
2007121430.tif 000004
【図２】
2007121430.tif 000005
【図３】
2007121430.tif 000006
【図４】
2007121430.tif 000007
【図５】
2007121430.tif 000008
【図６】
2007121430.tif 000009
【図７】
2007121430.tif 000010
【図８】
2007121430.tif 000011
【図９】
2007121430.tif 000012
【図１０】
2007121430.tif 000013
【図１１】
2007121430.tif 000014
【図１２】
2007121430.tif 000015
【図１３】
2007121430.tif 000016